(57)【要約】      （修正有）【課題】主に液体又はクリームタイプの化粧品に関して、密閉の観点からいくつかの欠点を有するので、この密閉を確実に行える容器を提供する。【解決手段】縦軸１ａ及び、縦軸に対して垂直な法平面１ｂを定め、第１の含有本体部２、第２の含有本体部３、ベース４０及び、アプリケータ４２を含む中心本体部４、を含み、第１の含有本体部は第２の含有本体部に連結可能であり、中心本体部は第２の含有本体部の内部に拘束されかつ部分的に配置され、容器が閉じた構成にある場合、第１の含有本体部にも部分的に配置され、第２の含有本体部及び第１の含有本体部は、適合された固定手段６を含み、容器は、容器の気密性を確実にするように閉じた構成で隣接して互いに対向して配置されたガスケット及び支持ベースを含む密封手段を含み、密封手段は固定手段から分離され、軸方向に沿って離れて間隔を置かれる化粧品の密封容器。【選択図】図４
2018075363.tif 000002
【特許請求の範囲】
【請求項１】
縦軸（１ａ）及び、該縦軸（１ａ）に対して垂直な法平面（１ｂ）を定める化粧品の密封容器（１）であって：
−第１の含有本体部（２）；
−第２の含有本体部（３）；
−ベース（４０）及び、アプリケータ（４２）を含む中心本体部（４）；を含み、
−前記第１の含有本体部（２）は前記第２の含有本体部（３）に連結可能であり、閉じた構成を定め、前記容器（１）の内部体積（１０）及び該容器（１）の開いた構成を定め、
−前記中心本体部（４）は前記第２の含有本体部（３）の内部に拘束されかつ部分的に配置され、前記容器（１）が閉じた構成にある場合、前記第１の含有本体部（２）にも部分的に配置され、
−前記含有本体部（２、３）は前記第２の含有本体部（３）及び前記第１の含有本体部（２）を連結するために適合された磁気タイプの固定手段（６）を含む、化粧品の密封容器（１）において、
−前記容器（１）の気密性を確実にするように前記閉じた構成で隣接して互いに対向して配置されたガスケット（５０）及び支持ベース（５１）を含む密封手段（５）を含むことにより特徴付けられ、
−前記密封手段（５）は前記固定手段（６）から分離され、前記軸方向（１ａ）に沿って離れて間隔を置かれる、化粧品の密封容器（１）。
【請求項２】
前記密封手段（５）が、前記閉じた構成において、前記法平面（１ｂ）に対して直角の半分より小さい作用角（α）を定める相互の接触面（５ａ）を定める、請求項１に記載の容器（１）。
【請求項３】
前記相互の接触面（５ａ）が前記法平面（１ｂ）に対して平行である、請求項１又は請求項２に記載の容器（１）。
【請求項４】
前記ガスケット（５０）が突出部（５０ａ）を含み、前記支持ベース（５１）が圧縮によって閉じた構成において該突出部（５０ａ）を変形させる、請求項１から請求項３のいずれか一項に記載の容器（１）。
【請求項５】
前記突出部（５０ａ）が前記縦軸（１ａ）を通過している平面上のくさび形の部分を有するリングである、請求項１から請求項４のいずれか一項に記載の容器（１）。
【請求項６】
前記アプリケータ（４２）が収集要素（５２）の範囲内を通過する場合、摩擦によって余分な化粧品を取り除くように適合する収集要素（５２）を含み、該収集要素（５２）は前記支持ベース（５１）と一体の部分である、請求項１から請求項５のいずれか一項に記載の容器（１）。
【請求項７】
前記固定手段（６）が第１の固定要素（６０）及び第２の固定要素（６１）を含み、該第１の固定要素（６０）は前記第２の含有本体部（３）内に含まれ、該第２の固定要素は前記第１の含有本体部（２）内に含まれる、請求項１から請求項６のいずれか一項に記載の容器（１）。
【請求項８】
−前記密封手段（５）が前記固定手段（６）から分離され、５ｍｍより大きい距離で前記軸方向（１ａ）に沿って離れて間隔を置かれる、請求項１から請求項７のいずれか一項に記載の容器（１）。
【請求項９】
前記中心本体部（４）が、ベース（４０）、ロッド（４１）及び柔らかいブラシ（４２）を含み、該ベース（４０）は前記第２の含有本体部（３）に拘束され、該ロッド（４１）は該ベース（４０）に拘束されかつ第１の含有本体部（２）に挿入されるように適合し、該ブラシ（４２）は該ロッド（４１）の自由端に配置される、請求項１から請求項８のいずれか一項に記載の容器（１）。
【請求項１０】
前記第１の含有本体部（２）が貯蔵容器（２０）及び連結要素（２１）を含み、該貯蔵容器（２０）は化粧品を含むように適合し、該連結要素（２１）は該貯蔵容器（２０）の自由端で拘束されるように適合し、前記内部体積内で配置される、請求項１から請求項９のいずれか一項に記載の容器（１）。
【発明の詳細な説明】
【技術分野】
【０００１】
本発明は、第１の請求項の前文において指定されるタイプの化粧品の密封容器に関する。特に、本発明は化粧用の製品を入れて、好ましくはそれを塗布するために用いられる装置に関する。そのような製品は、マスカラ、ほお紅、リップグロス、リップスティック、アイライナー、カジャルアイライナー、アイシャドー、グロス、ファンデーション、コンシーラー、セラム、クリーム、スキンケア製品、アイクリーム又はスキンケア製品であってもよい。
【背景技術】
【０００２】
公知のように、液体又はクリームの状態の化粧品のために用いられる容器は、容器の筐体、製品、及び、閉じた構成で容器との圧力による閉止によって係合することができるキャップから構成される。類似した容器は、特許文献１〜４に記載されている。
【０００３】
特に、クリーム／液体の状態の化粧品は、化粧品が配置されるベース本体、及び、ベース本体と化粧品を含む室を定めるケースで構成される容器を有する。さらに、一般に知られるケースは、化粧品を抽出して使用するための運動学的な手段を含む、あるいは、例えばアプリケータを有してもよい。
【先行技術文献】
【特許文献】
【０００４】
【特許文献１】米国特許出願公開第２０１６／１２０２９０ 号明細書
【特許文献２】韓国登録特許第１０−１２２６７５４号公報
【特許文献３】国際公開第２０１５／１３９２４０号
【特許文献４】欧州特許第１６１４３６７号明細書
【発明の概要】
【発明が解決しようとする課題】
【０００５】
前記従来技術は、いくつかの大きな欠点を含む。特に、主に液体又はクリームタイプの化粧品に関して、従来技術で公知のケースは、密閉の観点からいくつかの欠点を有する。確かに、公知の容器は入れ物の室の密閉を確実にすることができず、従って、そこに含まれる製品の、例えば酸化又は乾燥による劣化を防ぐことができない。さらに、含有ケースの開閉により、程度は小さいが構成要素の摩耗に導くような局所的塑性変形につながることで製品の密封をますます減少させてしまうので、化粧品に一般に用いられる気密性のない入れ物の使用によって悪化することになる。
【０００６】
上記の結果として、不完全に保管された化粧品は使い切る前にたいてい捨てられるので、コスト及び廃棄物が増加してしまうことが更なる欠点となる。
【０００７】
最後に、従来技術から一般に知られる入れ物が、閉止の課題を取り除くために、複雑である、あるいは開けるのに相当な力を必要とするような、ユーザにとって必ずしも便利ではない密閉手段を含むことが他の欠点である。
【０００８】
ネジ付き部材で構成される閉止部の例では、一般的な干渉モデルと比較して、ユーザは容器を開けるのに多くの時間を費やすことが強いられ、更に、ユーザはトルク動作を閉止部に適用させる必要があり、それによってネジ自体の底部進路のひずみにつながり、気密性が損失する、あるいは閉止部が損傷する結果になってしまう。
【０００９】
他方では、干渉密閉モデルは、干渉自体により提供される障害を克服する必要があるために、開けるのにより大きな力が要求される可能性がある。この状態において、本発明の基礎をなす技術的な課題は、列挙した欠点を本質的に克服することができる化粧品のための密封容器を考案することである。その技術的な課題の範囲において、化粧品を最適に保存することができ、一方で長期間の使いやすさを確実にする容器を得ることが、本発明の重要な目的である。
【００１０】
本発明の他の重要な目的は、中に含まれる製品を完全に使い切ることができるような化粧品の入れ物を提供することである。結論として、単純でありかつ早く開けることができ、少ない力で中に含まれる化粧品に到達することができる化粧品の密封容器を提供することは、本発明の別の重要な課題である。
【課題を解決するための手段】
【００１１】
技術的な課題及び特定の目的は、添付の請求項１において請求される化粧品の密封容器によって達成される。好ましい実施態様は、従属請求項に記載される。
【００１２】
本発明の特徴及び効果は、以下の本発明の好ましい実施態様の詳細な説明で、添付の図面を参照して説明される。図面の説明は次の通りである： 
【図面の簡単な説明】
【００１３】
【図１】図１は、密封容器を示す。
【図２】図２は、密封容器を開ける方法を示す。
【図３】図３は、化粧品の密封容器の分解図である。
【図４】図４は、容器の断面図である。
【図５ａ】図５ａは、第１の代替の構成における容器の断面図を示す。
【図５ｂ】図５ｂは、第２の代替の構成における容器の断面図を示す。
【図６】図６は、密封手段の拡大詳細図を示す。
【図７ａ】図７ａは、開いた構成における詳細な突出部である。
【図７ｂ】図７ｂは、密閉位置における詳細な突出部を示す。
【図８】図８は、本発明の第２の実施態様による化粧品の密封容器の構造の断面図である。
【図９】図９は、本発明の第２の実施態様により容器が使用される時に中心本体部及び含有本体部が合致する場合の化粧品の密封容器の構造図である。
【図１０】図１０は、本発明の第２の実施態様による化粧品の密封容器の密封リングの構造の断面図である。
【図１１】図１１は、本発明の第２の実施態様による化粧品の密封容器の密封リングの構造の分解断面図である。
【図１２】図１２は、本発明の第３の実施態様による化粧品の密封容器の構造の断面図である。
【図１３】図１３は、本発明の第３の実施態様による化粧品の密封容器の３次元の詳細図である。
【図１４】図１４は、本発明の第４の実施態様による化粧品の密封容器の構造の断面図である。
【図１５ａ】図１５ａは、開いた構成における密封容器の詳細の部分的な構造図である。
【図１５ｂ】図１５ｂは、閉じた構成における密封容器の詳細の部分的な構造図である。
【発明を実施するための形態】
【００１４】
本発明において、測定値、数値、形状及び（垂直や平行のような）幾何学的な基準は、「約」のような語、あるいは「ほとんど」又は「本質的に」のように類似した語と関連する場合、生産及び／又は製造誤差による測定値の誤差又は不正確さがないものとして、またとりわけ、関連する数値、測定値、形状又は幾何学的な基準からの軽微な逸脱がないものとして理解されるべきである。例えば、そのような語が数値と関連する場合、数値自体の１０％を超えない相違を好ましくは示す。さらに、例えば「第１」、「第２」、「上部」、「下部」、「主な」及び、「２番目の」といった語が使用される場合、必ずしも順番、関係の優先又は相対的な位置を識別するというわけではないが、異なる構成要素をより明らかに識別するために単に用いられる可能性がある。
【００１５】
添付の図面を参照すると、本発明の化粧品の密封容器は、全体として参照番号１で示される。密封容器１は、マスカラ、ほお紅、リップグロス、リップスティック、アイライナー、カジャルアイライナー、アイシャドー、グロス、ファンデーション、コンシーラー、セラム、クリーム、スキンケア製品、アイクリーム又はスキンケア製品であってもよい。化粧品の密封容器１は、縦軸１ａ、及び、縦軸１ａに対して垂直な法平面１ｂを定める。さらに、それは、第１の含有本体部２、好ましくはキャップである第２の含有本体部３、中心本体部４、密封手段５、及び、固定手段６を好ましくは含む。
【００１６】
図１〜７ｂを参照すると、第１の含有本体部２は、好ましくは２つの主な構成要素で構成される。その構成要素は、貯蔵容器２０及び連結要素２１である。貯蔵容器２０は、例えば縦軸１ａに中心を置かれる円筒状の容器であり、それらは変更可能なサイズで異なる形状であってもよいが、その範囲内に化粧品が配置される。それゆえに、貯蔵容器２０は、例えば閉成端及び開放端で構成される。例えば、開放端は連結要素２１と連結するように適合する。さらに、貯蔵容器２０はガラス又は金属材料でできていてもよく、好ましくは例えば透明表面を有する高分子材料でできている。しかしながら、好ましくは高分子材料の性質によって、例えば異なる色が可能になる。連結要素２１は、円筒型の、例えば縦軸１ａに中心を置かれて中央が貫通されたキャップであり、第１の部分２１ａ及び第２の部分２１ｂを含み、第２の部分２１ｂは、好ましくは第１の部分２１ａより小さい。好ましくは、第１の部分２１ａは、貯蔵容器２０内に収容され、そこに拘束されるように適合する。
【００１７】
代わりに、第１の部分２１ａは、第２の含有本体部３内で収容されて、そこに拘束されるように適合してもよい。それにより、第１の部分２１ａ及び貯蔵容器２０の内部表面の少なくとも一部は連結手段２１ｃを含む。貯蔵容器２０及び連結要素２１を拘束するように適合するならば、連結手段２１ｃは、おそらく変更可能なタイプの手段である。連結手段２１ｃは従って、縦軸１ａの周りで延長し、貯蔵容器２０又は第２の含有本体部３の内部表面で配置されるヘリカルガイド、及び、連結要素２１の第１の部分２１ａの外部表面で配置されるネジ切り加工に対応してもよい。好ましくは、連結手段２１ｃは、貯蔵容器２０の内部表面上で得られ、少なくとも１つの継手を含む第１の部分２１ａと相補的である基準部分で構成される。少なくとも１つの継手の孔は従って、例えば上記の突出部と相補的であり、第１の部分２１ａの外部表面に含まれる。そのために、第１の含有本体部２は例えば、貯蔵容器２０自体に拘束される連結要素２１によって自由端の上にある貯蔵容器２０である。連結要素２１の第１の部分２１ａは、ケースを形成する貯蔵容器２０の範囲内で好ましくは組み込まれて、一方で、第２の部分２１ｂは、例えば含有本体部２の外側の方へ突出する。
【００１８】
それゆえに、第１の含有本体部２は例えば、上部で狭くなっている段のような部分を含む円筒であるが、四角の形状又は端を含むような異なる形状を有してもよい。さらに、第１の含有本体部２は例えば、貯蔵容器２０の上部で第２の含有本体部３に好ましくは連結可能である。全ての例において、第２の含有本体部３は好ましくは、例えば円筒状の形状であり、縦軸１ａに中心を置き、閉成端及び開放端を含む入れ物である。含有本体部２、３に関しては、四角の形状又は例えば端を含む他の形状を有してもよい。第２の含有本体部３の開放端は従って、貯蔵容器２０の部分で記載の領域を完全に覆うように好ましくは適合する。従って、含有本体部２、３は、内部体積１０を明確にする閉じた構成を定めるように相互に連結することができる。内部体積１０は、従って含有本体部２、３の壁によって区切られる空間である。
【００１９】
図１〜７ｂを特に参照すると、第２の含有本体部３は、好ましくは中心本体部４をそこに含む。中心本体部４は、例えば変更可能なサイズ及び形状の化粧用のアプリケータを含む。それゆえに、中心本体部４は、例えばベース４０、ロッド４１及びアプリケータ４２を含む。ベース４０は、第２の含有本体部３の内部表面に付着して、特に閉成端で拘束されるように好ましくは適合する。従って、それは、接着剤又は取り付け加工によって、あるいは、中心本体部４が一体的に第２の含有本体部３に拘束されたままであるならば、機械的な継手によって第２の含有本体部３に拘束されてもよい。例えば、ロッド４１は、縦軸１ａに中心が置かれベース４０に拘束される重合体の軸部である。それは、第２の含有本体部３の開放端の方へベースから延長し、第１の含有本体部２に含まれる連結要素２１によって定められる孔に挿入されるように適合される。それゆえに、ロッド４１のサイズは、好ましくは第２の含有本体部３及び第１の含有本体部２間の適切な閉鎖及び接着を確実にするものである。さらに、ロッド４１の長さは好ましくは、第１の含有本体部２及び第２の含有本体部３が相互に連結される場合、すなわち閉じた構成である場合に、アプリケータ４２が貯蔵容器２０の閉成端の近くに配置することができるような長さである。ロッド４１は、好ましくは円形の垂直な部分を有する、あるいは、円形でない部分、すなわち卵形又は半円又は他の部分も有する。
【００２０】
最後に、アプリケータ４２は、化粧品を受容し、保持して、接触時に分配するように適合するならば、例えば柔らかい手段又は毛羽立った要素、あるいはスポンジ状の要素である。特に、アプリケータ４２は、ロッド４１の自由端に好ましくは拘束される。中心本体部４を含む第２の含有本体部３は、第１の含有本体部２に連結される場合、連結要素の第２の部分２１ｂを完全にそこに含むように好ましくは適合する。特に、第２の部分２１ｂは、第２の部分２１ｂの外部表面が第２の含有本体部３の内部表面から間隔を置いて離れ、それに接着しないように好ましくはサイズ設定される。
【００２１】
代わりに、第２の含有本体部３が第２の含有本体部３に拘束される連結要素２１によって自由端の上に載置されてもよいし、連結要素２１の第１の部分２１ａが第２の含有本体部３を形成しているケース内に組み込まれてもよく、一方で、第２の部分２１ｂは、例えば第２の含有本体部３の外側の方へ突出する。それゆえに、連結要素２１の第２の部分２１ｂは、第２の部分２１ｂの外部表面が第１の含有本体部２の内部表面から間隔を置いて離れ、それに接着しないようにサイズ設定されてもよい。さらに、連結要素２１の中心の孔は、好ましくは少なくとも中心本体部４の一部、特に、例えばアプリケータ４２及びロッド４１の挿入を確実にするようにされる。連結要素２１の孔の内部の壁は、含有本体部２、３が閉じた構成で連結される場合、ロッド４１から好ましくは離れるように間隔を置かれる。全ての例において、含有本体部２、３は、固定要素６によって好ましくは連結されかつ保持される。
【００２２】
固定要素６は、少なくとも第１の固定要素６０及び第２の固定要素６１を含む。第２の固定要素６１は、第２の含有本体部３において、好ましくは、例えばその開放端に含まれる。第１の固定要素６０は、第１の含有本体部２内において、好ましくは、例えば貯蔵容器２０の開放端に含まれる。しかしながら、それらはまた、密封手段５の近く又は他の場所においてロッドの上部で配置することができる。第１及び第２の固定要素６０及び６１は、機械的な保持要素又は取り付け保持要素であってもよいが、好ましくは、それらは、それぞれ第２の含有本体部３及び第１の含有本体部２内に組み込まれる２つのリングである。より多くのリングが存在することも可能である。固定要素６０及び６１、とそれぞれの含有本体部２、３の間の機械的な連結は、接着、あるいはオーバーモールド又は同時注入によってなされてもよい。特に、それらは磁気タイプのものである。詳細には、２つのリングのうちの少なくとも１つが好ましくは永久磁石であり、他のリングは、例えば強磁性要素であってもよい。第１及び第２の固定要素６０及び６１は、それぞれの結合端、すなわち、好ましくは第２の含有本体部３の自由端及び第１の含有本体部２の自由端が接近する場合に、例えば含有本体部２、３を連結するように案内するため、その間で引力を定めるように適合する。しかしながら、第１の及び第２の固定要素６０及び６１はまた、その間で接近する力を生成することができる適切に分極化された永久磁石であってもよい。
【００２３】
容器１は、密封手段５を含む。そのような密閉手段５は、化粧品を含む容器１の密封又は気密を確実にするように適合する。それゆえに、それらは、好ましくは化粧品を含む貯蔵容器２０によって記載される体積に空気が通過するのを防ぐように適合する要素である。好ましくは、密閉手段５は固定手段６から分離していて、軸方向１ａに沿って離れるように間隔を置かれる。特に、軸方向１ａに沿った距離は、３ｍｍ以上であり、より好ましくは５ｍｍ以上であり、最も好ましくは、７ｍｍから１.５ｃｍの間に含まれる。特に、密封手段５は好ましくは、ガスケット５０及び支持ベース５１を含む。ガスケット５０は好ましくは、例えばエラストマーガスケットのような変形可能な要素であるが、異なるタイプの材料で作成されてもよい。さらに、ガスケット５０は、縦軸１ａを中心に置いた、ロッド４１の周りで挿入されかつ中心本体部４のベース４０に拘束された例えば本質的にリング型の形状を有する。
【００２４】
図１〜７ｂを特に参照すると、支持ベース５１は代わりに、第１の含有本体部２又は第２の含有本体部３の上部で、より正確には、連結要素２１、特に第２の部分２１ｂによって定義される開口の上部で配置される好ましくはリング又は環状構造である。ガスケット５０及び支持ベース５１は、例えば容器１の気密性を確実にするように閉じた構成で、隣接かつ対向して配置される。特に、密封手段５は、閉じた構成において、法平面１ｂに対する作用角αを定める相互の接触面５ａを定める。作用角αは、ガスケット５０及び支持ベース５１と接触する表面によって定められてもよい。好ましくは、相互の接触面５ａは、絶対値に換算して直角の半分より小さい作用角αを定める。例えば、ガスケットは、環状構造又はリングであってもよく、その外部表面は法平面１ｂに対して３０°傾けられる平面と相互の接触面５ａを形成する。より適切には、作用角αは好ましくはゼロ値を有し、従って、相互の接触面５ａは法平面１ｂに対して平行である。例えば、代わりの実施態様（図５ｂに示す）において、相互の接触面５ａは、法平面１ｂに対してほぼ９０°の作用角α、好ましくは７０°から９０°の間の作用角αを定め、従って、ガスケット５０及び支持ベース５１は、縦軸１ａに平行した方向に沿って本質的に相互作用する。密封手段５のうちの少なくとも１つは、突出部５０ａを更に含む。突出部５０ａは、好ましくは閉じた構成で配置される、すなわち、第２の含有本体部３及び第１の含有本体部２が連結される場合、ガスケット５０及び支持ベース５１の間で配置される。
【００２５】
上記の突出部５０ａは、ガスケット５０及び支持ベース５２が閉じた構成（図７ａ〜７ｂ）で接近する場合に圧縮によってさらに好ましくは変形するように適合する。少なくとも１つの突出部５０ａは、ガスケット５０の表面に好ましくは含まれ、また本質的にリング型の形状であり、封止５０が第２の含有本体部３に取り付けられる場合は第２の含有本体部３の開放端の方へ、又は、ガスケット５０が第１の含有本体部２に取り付けられる場合は第１の含有本体部２の開放端の方へ、ガスケット５０の自由表面から突出して縦軸１ａに中心を置かれる。特に、突出部５０ａは、縦軸１ａを通過する平面上にくさび形の部分を有するが、例えば四角又は半円形のような異なる形状を有してもよいリング又は閉じたラインであり、従って、作用角αに依存している複数の異なる方向に沿って本質的に変形してもよい。しかしながら、代わりに又はさらに、少なくとも１つの突出部５０ａは、例えば支持ベース５１の表面に配置されてもよい。
【００２６】
容器１は、収集要素５２をさらに含む。収集要素５２は、第２の部分２１ｂで連結要素２１の孔の範囲内で拘束される好ましくはエラストマの穿孔されたバスケットである。例えば、収集要素５２は連結要素２１の孔の範囲内で載置され、好ましくは円錐の形状であり、貯蔵容器２０の内部の方へ延長する縦軸１ａ上に中心を置かれ、上記の円錐のより小さい端で、例えば、ロッド４１の寸法と互換性を持つ孔を有する。収集要素５２は、アプリケータ４２が収集要素５２において通過する場合、摩擦によって余分な化粧品を取り除くようにさらに好ましくは適合する。例えばアプリケータ４２は、収集要素５２の小端において含まれる孔で、収集要素５２に付着する。好ましくは、収集要素５２は、支持ベース５１と一体の部分になる。
【００２７】
全ての３つの例において、第２の含有本体部３及び第１の含有本体部２が連結される場合、支持ベース５１は好ましくはガスケット５０の突出部５０ａと接触する、又は、突出部５０ａをガスケット５０と接触させる。この接触のために、突出部５０ａは圧縮されかつ変形して、例えば外部に対して封止される体積部をそこに定める。それによって、貯蔵容器２０に含まれる化粧品は外部の環境から保護され、例えば貯蔵容器２０内部で保存される。さらに図１〜７ｂを参照すると、収集要素５２は、それが第１の含有本体部２へ／から挿入又は抽出される場合、中心本体部のアプリケータ４２をきれいにするようになお適合する。特に、（エラストマの）収集部５１ａは、柔らかいブラシがそこを通過する場合、孔の端で摩擦によって余分な化粧品を取り除く。
【００２８】
構造的に上に記載した密封容器１の動作を以下に説明する。ユーザは、第２の含有本体部３の外側表面をわずかに押して、縦軸１ａに対して中心本体部４、及びそれゆえにロッド４１を傾ける。この運動は、特に、第２の部分２１ｂが第２の含有本体部３の内部表面から離れて間隔を置いているため、従って、第２の含有本体部３及び中心本体部４の広い回転のために２つの要素間の距離が利用されることにより可能となる。広い回転はさらに、化粧品を含む貯蔵容器内部でアプリケータ４２を動かすことを可能にし、従って、アプリケータ４２の化粧品への浸漬及び含浸を促進することができる。広く回転することができる態様は特に、両手を使う必要なく第１の含有本体部２から離れて第２の含有本体部３を動かすことを可能にする。確かに、第２の含有本体部３は、ユーザによって片手のみで第１の含有本体部２から取り除くことができる。取り外しの間、アプリケータ４２は収集要素５２の孔を通過し、余分な化粧品は、支持ベース５１の端及びアプリケータ４２の表面の間の摩擦によってきれいにされる。第２の含有本体部３が第１の含有本体部２に接近し、アプリケータ４２が貯蔵容器２０に入り、一方で孔を通じて通過する場合に、同じことが起こる。特に、アプリケータ４２が貯蔵容器２０に挿入されたならば、第２の含有本体部３及び第１の含有本体部２の間の閉じた構成、すなわち結合した構成に戻すために力が適用される必要がないことは、注目に値する。確かに、支持ベース５１が収集要素５２と好ましくは一体の部分であるので、ロッド４１及び従って中心本体部４を再び縦軸１ａと整列配置させるためには、容器１を振動させるあるいはわずかに振ることで十分である。それゆえに、第２の含有本体部３は、第１の含有本体部２の方への重力によって遊離して落下し、最後に固定要素６０及び６１によって押されて、第１の含有本体部２自体と互換的に連結される。
【００２９】
図８〜１１を参照すると、第２の実施態様による化粧品の密封容器は、含有本体部２、３のうちの少なくとも１つの外側でスリーブを付けられる好ましくは封止手段５を含み、ガスケット５０の外部の壁は、空隙５０ｂを作成し、密封容器１が閉じる場合に少なくとも部分的に空隙５０ｂを圧縮するために変形するのに適切である突出部５０ａを備えている。図８〜１１の密封手段５は、リング型に成形されるガスケット５０を好ましくは含む。ガスケット５０は、外部の壁に、好ましくはガスケット５０の底部で例えば提供される可撓性リングである突出部５０ａを含む。第２の含有本体部３が第１の含有本体部２と合致する場合、ガスケット５０の内部の壁は第１の含有本体部２及びガスケット５０の外部の壁と適合し、第２の含有本体部３の内部の壁は互いに適合する。突出部５０ａの端面はガスケット５０の下の端面から分離されて、隙間５０ｂ又は空間を形成する。突出部５０ａは、好ましくは外側に突出する。突出部５０ａ及びガスケット５０は、好ましくは一体化された射出成形構造である。
【００３０】
第２の含有本体部３の内側は、好ましくは第１の傾斜した端３１を備えている。第１の傾斜した端３１は、例えば第１又は第２の固定要素６０、６１の上に、好ましくは第２の固定要素６１の上に配置され、突出部５０ａに対向するのに適切である。第２の含有本体部３及び第１の含有本体部２が合致した後、第１の傾斜した端３１、突出部５０ａ、ガスケット５０、第２の含有本体部３、及び、例えば第２の固定要素６１は密封された空間を形成する。化粧品の密封容器１が使用中である場合、第２の含有本体部３は、第１の含有本体部２から中心本体部４を取り除くようにさせて、化粧料を第１の含有本体部２に浸漬した後に、中心本体部４を使うことができる。使用が終わると、中心本体部４は、第１の含有本体部２に入れられる。含有本体部２、３は、互いに固定される。第２の含有本体部３は、上端部からガスケット５０の底部まで動く。第１の固定要素６０及び第２の固定要素６１は、互いに引き寄せられる。この場合、記載の全ての例と同じく、第２の含有本体部３及び第１の含有本体部２はそれから互いに固定される。一方で、第２の含有本体部３が下方に動く場合、それは、段階的に突出部５０ａと接触する。第１の傾斜した端３１、突出部５０ａ、ガスケット５０、第２の含有本体部３及び第２の固定要素６１によって形成される空間又は隙間５０ｂは、段階的に減少して、それにより、空間の圧力は段階的に増加し、空気は外側からの空間に入らず、そのために第２の含有本体部３及び第１の含有本体部２の間でしっかりした密封効果を有することができる。
【００３１】
さらに、第１の傾斜した端３１、突出部５０ａ、ガスケット５０、第２の含有本体部３及び第２の固定要素６１によって形成される空間における空気圧による突出部５０ａに対する押出効果、及び、第２の含有本体部３による突出部５０ａ上の側面の押出により、突出部５０ａはガスケット５０を下に押圧し、それにより、突出部５０ａ、ガスケット５０及び第１の含有本体部２の中の空気は段階的に外へ押し出される。さらに、突出部５０ａによるガスケット５０の下へ押圧により、空間は陰圧を形成するようになり、突出部５０ａ及び第１の含有本体部２がきつく密着し、しっかりした密封効果を作成する。ガスケット５０及び突出部５０ａの全てのこれらの効果は、記載された全ての実施態様に共通するものである。第２の含有本体部３及び突出部５０ａの間の合致を容易にするため、第２の含有本体部３及び突出部５０ａの間の合致箇所は、好ましくは円弧の転移部を備えていて、それにより、突出部５０ａ及び第２の含有本体部３がしっかりと合致し、ガスケット５０及び第２の含有本体部３がきつく密着するのを確実にして、ガスケットを確実なものにする。
【００３２】
図１２〜１３を参照すると、化粧品の密封容器１は、第３の実施態様によれば、好ましくはガスケット５０を含む密封手段５を含む。さらに、ガスケット５０は、図１２〜１３で示されるように、好ましくは突出部５０ａ又は可撓性リングを含む。さらに、第１の含有本体部２の内側は、例えば突出部５０ａに対向するように成形された第２の傾斜した端３２を備えている。第２の含有本体部３が第１の含有本体部２と合致する場合、ガスケット５０の内部の壁は第２の含有本体部３と適合し、ガスケット５０の外部の壁は第１の含有本体部２の内部の壁と適合する。第３の実施態様の容器１も、第２の含有本体部３のボトルの開口でスリーブを付けられる連結要素２１を含む。連結要素２１の一端は、第１の含有本体部２の内部の壁と好ましくは適合する。ガスケット５０は、連結要素２１を通じて第２の含有本体部３のボトルの開口の外側でスリーブを付けられる。ガスケット５０は、第２の含有本体部３のボトル開口の外側で、正確には連結要素２１の第２の部分２１ｂ上で好ましくはスリーブを付けられる。代わりに、ガスケット５０は、底部のステムの領域にあってもよい。容器１が使用中の場合、第２の含有本体部３及び第１の含有本体部２は、互いに固定される。第１の固定要素６０及び第２の固定要素６１の間の引力により、第２の含有本体部３及び第１の含有本体部２は、しっかりと引き寄せられる。
【００３３】
含有本体部２、３の被覆プロセスの間、第１の含有本体部２は、底部からガスケットの上端部まで５０を動く。一方で、第１の含有本体部２は下方に動き、可撓性リング５０ａと段階的に接触する。ガスケット５０、突出部５０ａ、及び、第１の含有本体部２の間で形成される隙間５０ｂ又は空間は段階的に減少し、従って空間の圧力は段階的に増加して、外気は入ることができず、そのために第２の含有本体部３及び第１の含有本体部２の間にしっかりした密封効果が生まれる。さらに、ガスケット５０、突出部５０ａ及び第１の含有本体部２によって形成される空間の空気圧による突出部５０ａに対する押出効果、及び、第１の含有本体部２による突出部５０ａ上の側面の押出により、突出部５０ａは、ガスケット５０を下に押圧する。突出部５０ａはガスケット５０を下に押圧し、そのために突出部５０ａ、ガスケット５０及び第２の含有本体部３の間で形成される第１の空洞の空気は、段階的に外へ押し出されて、それにより、第１の空洞が陰圧を形成することで、ガスケット５０及び第２の含有本体部３はしっかり密着して密封効果は改善される。
【００３４】
図１２〜１３の実施態様と全く同じ機能性は図１４〜１５の実施態様によって提供され、そこにおいて、突出部５０ａは一体の部分であり、ガスケット５０と連続的なものである。この特定の場合において、容器１の閉止の後、同じガスケット５０及び含有本体部２、３の壁の本質的に堅固な外部の部品の間で形成される隙間５０ｂからから空気が流出する。そのガスケットは、図１５ａ及び２５ｂの尺度において例示される。
【００３５】
本発明の化粧品の密封容器１は、重要な利点を達成する。実際に、第１の利点は、容器１が貯蔵容器２０のしっかりした閉止を確実にすることができるということであり、従って化粧品が劣化して使用不可能になるのを防ぐことができる。そのような利点は、支持ベース５１又は第２の含有本体部３の表面で圧縮されて、しっかりとあるいは気密的にそこに含まれる体積を閉じることができるような、ガスケット５０に含まれる突出部５０ａの弾性変形によって革新的な方法で得られる。それゆえに、他の利点は、化粧品を保存する能力を増加させる、従って化粧品全体の使用可能性を増加させることである。
【００３６】
そのような態様は、突出部５０ａの圧縮により、しっかりした閉止を損なうことなく入れ物の全体的な摩耗を減らすように形状／サイズの軽微な変化を吸収することができることで、強調される。そのような化粧品の継続期間が増加することで、より大きな能力、従ってより費用効果的な製品を備えた容器を有することができる。
【００３７】
更なる利点は、単純性と、装置が第１の含有本体部２から中心本体部４、すなわちアプリケータを抽出することができる速度である。加えて、密封容器１はまた、第２の含有本体部３の外側表面へのわずかな横の圧力に対応するより小さい実体の力を適用することによって開けることできる、すなわち、第１の含有本体部２から離れるように第２の含有本体部３を動かすことができるという利点を含む。さらに、これにより、例えばユーザの片手のみを伴う、従って含有本体部２から離れてそれを動かすために第２の含有本体部３のグリップを使用する必要なく、簡略化した運動によって密封容器１の機能を完全に利用することができる。特に、密封手段５及び固定手段６間の相乗的な作用により、例えば従来のケースのようにトルク動作を適用する必要なく、ユーザは容器１を開閉することができる。結論として、容器１の更なる利点は、特に主な実施態様において、第２の含有本体部３及び第１の容器本体２の間の障害が減少することで、すでに記載したように、より敏速かつより軽い圧力でロッド４１を抽出することができるだけでなく、容器１を開く段階で第２の含有本体部３の傾斜の間、開口への全体的な抵抗力を減少させるのと同様に曲げ強度を縮小することができることである。
【００３８】
その抵抗の減少のおかげで、不完全なケース開口による化粧品の流出の危険性は制限され、危険性が完全に取り除かれないにしても、閉じた構成で適当な締め付けはさらに保証される。本発明は、独立請求項及びそれぞれの技術的な同等物に記載されている本発明の概念の範囲内に含まれる変形の余地を有するものである。例えば、アプリケータ４２は、以下のもの：容器１がマスカラで識別可能な場合、ブラシ；容器１がリップグロス、グロス、コンシーラー又はリップスティックで識別可能な場合、スポンジ；容器１がアイライナー、ファンデーション又はカジャルアイライナーで識別可能な場合、柔らかいブラシ；及び、製品、特に化粧用の液体を取り、塗布することができるように適合するブラシ又は他の類似した要素；から選択されてもよい。
【００３９】
さらに、上に記載の化粧品の密封容器１の全ての実施態様は、容器１で１つずつ実施されても、あるいは一緒に実施されてもよい。例えば、容器１は、図１〜７ｂ及び８〜１１の実施態様の密封手段の両方のタイプを一緒に含んでもよく、あるいは、図１〜７ｂの密封手段５は図１２〜１５の密封手段５に連結することもできる。上記の全ての解決法は、本発明の概念から逸脱することなく完全に又は部分的に混合されてもよい。そのような範囲において、全ての詳細は同等の要素と交換することができ、材料、形状及び寸法は、変化してもよい。
【図１】
2018075363.tif 000003
【図２】
2018075363.tif 000004
【図３】
2018075363.tif 000005
【図４】
2018075363.tif 000006
【図５ａ】
2018075363.tif 000007
【図５ｂ】
2018075363.tif 000008
【図６】
2018075363.tif 000009
【図７ａ】
2018075363.tif 000010
【図７ｂ】
2018075363.tif 000011
【図８】
2018075363.tif 000012
【図９】
2018075363.tif 000013
【図１０】
2018075363.tif 000014
【図１１】
2018075363.tif 000015
【図１２】
2018075363.tif 000016
【図１３】
2018075363.tif 000017
【図１４】
2018075363.tif 000018
【図１５ａ】
2018075363.tif 000019
【図１５ｂ】
2018075363.tif 000020
【外国語明細書】
2018075363000001.pdf